(57)【要約】【課題】  放電灯が複数備えられる場合又はいわゆる片口金構造である場合であっても、外光による影響を低減し、明るさ検出手段による明るさの検出を精度よく実施できる照明器具を提供する。【解決手段】  放電灯２、２’と、放電灯２、２’を点灯制御する点灯回路３と、放電灯２から照射される光を照射物に反射させる反射面４と、反射面４に設けられた検出孔５、５’を介して放電灯２の明るさを検出する明るさ検出手段６と、明るさ検出手段６の検出結果に従って放電灯２、２’の明るさを制御する制御部７と、を備えた照明器具１であって、放電灯２、２’が複数備えられており、検出孔５、５’の中心が、明るさを検出しようとする放電灯２、２’の中心と明るさ検出手段６の中心とを結ぶ線上にある。【選択図】図１
2007026869.tif 000002
【特許請求の範囲】
【請求項１】
放電灯と、放電灯を点灯制御する点灯回路と、放電灯から照射される光を照射物に反射させる反射面と、反射面に設けられた検出孔を介して放電灯の明るさを検出する明るさ検出手段と、明るさ検出手段の検出結果に従って放電灯の明るさを制御する制御部と、を備えた照明器具であって、放電灯が複数備えられており、検出孔の中心が、明るさを検出しようとする放電灯の中心と明るさ検出手段の中心とを結ぶ線上にあることを特徴とする照明器具。
【請求項２】
放電灯と、放電灯を点灯制御する点灯回路と、放電灯から照射される光を照射物に反射させる反射面と、反射面に設けられた検出孔を介して放電灯の明るさを検出する明るさ検出手段と、明るさ検出手段の検出結果に従って放電灯の明るさを制御する制御部と、を備えた照明器具であって、放電灯が、電極が設けられる端部を含む直管部と、直管部との間に挟設される屈曲部と、を有し、端部が近接することで、放電電流が流れる経路が電極を発着点として略Ｕ字形状となる片口金構造であり、検出孔の中心が、明るさを検出しようとする直管部の中心と明るさ検出手段の中心とを結ぶ線上にあることを特徴とする照明器具。
【請求項３】
放電灯と、放電灯を点灯制御する点灯回路と、放電灯から照射される光を照射物に反射させる反射面と、反射面に設けられた検出孔を介して放電灯の明るさを検出する明るさ検出手段と、明るさ検出手段を覆ってなる保護ケースと、明るさ検出手段の検出結果に従って放電灯の明るさを制御する制御部と、を備えた照明器具であって、放電灯が複数備えられており、保護ケースに設けられた受光孔の中心が、明るさを検出しようとする放電灯の中心と明るさ検出手段の中心とを結ぶ線上にあることを特徴とする照明器具。
【請求項４】
放電灯と、放電灯を点灯制御する点灯回路と、放電灯から照射される光を照射物に反射させる反射面と、反射面に設けられた検出孔を介して放電灯の明るさを検出する明るさ検出手段と、明るさ検出手段を覆ってなる保護ケースと、明るさ検出手段の検出結果に従って放電灯の明るさを制御する制御部と、を備えた照明器具であって、放電灯が、電極が設けられる端部を含む直管部と、直管部との間に挟設される屈曲部と、を有し、端部が近接することで、放電電流が流れる経路が電極を発着点として略Ｕ字形状となる片口金構造であり、保護ケースに設けられた受光孔の中心が、明るさを検出しようとする直管部の中心と明るさ検出手段の中心とを結ぶ線上にあることを特徴とする照明器具。
【発明の詳細な説明】
【技術分野】
【０００１】
本発明は、放電灯と、放電灯を点灯制御する点灯回路と、放電灯から照射される光を照射物に反射させる反射面と、反射面に設けられた検出孔を介して放電灯の明るさを検出する明るさ検出手段と、明るさ検出手段の検出結果に従って放電灯の明るさを制御する制御部と、を備えた照明器具に関し、特に所望の光以上の無駄な光をカットして省エネルギを行ない、また光源のばらつきを抑え、器具毎の照度ばらつきを小さくするためにランプの出力を制御する照明器具に関するものである。
【背景技術】
【０００２】
従来から、放電灯と、放電灯を点灯制御する点灯回路と、放電灯から照射される光を照射物に反射させる反射面と、反射面に設けられた検出孔を介して放電灯の明るさを検出する明るさ検出手段と、明るさ検出手段の検出結果に従って放電灯の明るさを制御する制御部と、を備えた照明器具として特開２０００−３４０３８７号公報（特許文献１）に記載されている技術が知られている。
【０００３】
これは、棒状直管の蛍光灯ランプと、蛍光灯ランプを点灯制御する電子安定器と、蛍光灯ランプの明るさを検出する光センサと、光センサの検出結果に従って蛍光灯ランプの明るさを制御する制御回路と、を備えた蛍光灯装置であり、光センサを部屋に取り付けるのではなくて、照明器具本体に装着する反射板に形成された透光窓を介して照明器具本体の内部に光センサを配置することで、光センサを部屋に取り付けた場合の種々の設定を省略し、使い勝手のよい照明器具を提供するものである。
【０００４】
かかる照明器具においては、反射面に検出孔を設けた場合でも、反射効率及び美観に影響を与えないように、放電灯から照射される光が反射された放電灯に戻る位置、すなわち、反射面の長手方向断面の略中心部に設けられることが通常なされていた
【特許文献１】特開２０００−３４０３８７号公報
【発明の開示】
【発明が解決しようとする課題】
【０００５】
しかしながら、放電灯が複数備えられる場合には、図７に示す如く、放電灯２、２’が一定の間隔をあけて備えられるため、放電灯２、２’の間から侵入する外光が検出孔５を介して明るさ検出手段６に検出される可能性があるので、これに基づく明るさ検出値の変動が懸念される。
【０００６】
同様に、放電灯が、電極が設けられる端部を含む直管部と、直管部との間に挟設される屈曲部と、を有し、端部が近接することで、放電電流が流れる経路が電極を発着点として略Ｕ字形状となる片口金構造である場合には、図７に示す如く、直管部２４、２４’が一定の間隔をあけて備えられるため、直管部間２４、２４’から侵入する外光が検出孔５を介して明るさ検出手段６に検出される可能性があるので、これに基づく明るさ検出値の変動が懸念される。
【０００７】
さらに、明るさ検出手段６を覆ってなる保護ケース９を備えた場合にも、図８に示す如く、放電灯２、２’の間又は直管部間２４、２４’から侵入する外光が検出孔５及び受光孔８を介して明るさ検出手段６に検出される可能性があるので、これに基づく明るさ検出値の変動が懸念される。
【０００８】
本願発明は、上記背景技術に鑑みてなされたものであり、その課題は、放電灯が複数備えられる場合又はいわゆる片口金構造である場合であっても、外光による影響を低減し、明るさ検出手段による明るさの検出を精度よく実施できる照明器具を提供することである。
【課題を解決するための手段】
【０００９】
上記課題を解決するために、請求項１に記載された発明は、放電灯と、放電灯を点灯制御する点灯回路と、放電灯から照射される光を照射物に反射させる反射面と、反射面に設けられた検出孔を介して放電灯の明るさを検出する明るさ検出手段と、明るさ検出手段の検出結果に従って放電灯の明るさを制御する制御部と、を備えた照明器具であって、放電灯が複数備えられており、検出孔の中心が、明るさを検出しようとする放電灯の中心と明るさ検出手段の中心とを結ぶ線上にあることを特徴とする照明器具である。
【００１０】
また請求項２に記載された発明は、放電灯と、放電灯を点灯制御する点灯回路と、放電灯から照射される光を照射物に反射させる反射面と、反射面に設けられた検出孔を介して放電灯の明るさを検出する明るさ検出手段と、明るさ検出手段の検出結果に従って放電灯の明るさを制御する制御部と、を備えた照明器具であって、放電灯が、電極が設けられる端部を含む直管部と、直管部との間に挟設される屈曲部と、を有し、端部が近接することで、放電電流が流れる経路が電極を発着点として略Ｕ字形状となる片口金構造であり、検出孔の中心が、明るさを検出しようとする直管部の中心と明るさ検出手段の中心とを結ぶ線上にあることを特徴とする照明器具である。
【００１１】
また請求項３に記載された発明は、放電灯と、放電灯を点灯制御する点灯回路と、放電灯から照射される光を照射物に反射させる反射面と、反射面に設けられた検出孔を介して放電灯の明るさを検出する明るさ検出手段と、明るさ検出手段を覆ってなる保護ケースと、明るさ検出手段の検出結果に従って放電灯の明るさを制御する制御部と、を備えた照明器具であって、放電灯が複数備えられており、保護ケースに設けられた受光孔の中心が、明るさを検出しようとする放電灯の中心と明るさ検出手段の中心とを結ぶ線上にあることを特徴とする照明器具である。
【００１２】
また請求項４に記載された発明は、放電灯と、放電灯を点灯制御する点灯回路と、放電灯から照射される光を照射物に反射させる反射面と、反射面に設けられた検出孔を介して放電灯の明るさを検出する明るさ検出手段と、明るさ検出手段を覆ってなる保護ケースと、明るさ検出手段の検出結果に従って放電灯の明るさを制御する制御部と、を備えた照明器具であって、放電灯が、電極が設けられる端部を含む直管部と、直管部との間に挟設される屈曲部と、を有し、端部が近接することで、放電電流が流れる経路が電極を発着点として略Ｕ字形状となる片口金構造であり、保護ケースに設けられた受光孔の中心が、明るさを検出しようとする直管部の中心と明るさ検出手段の中心とを結ぶ線上にあることを特徴とする照明器具である。
【００１３】
ここで屈曲部とは、図９及び図１０に示す如く、放電電流が流れる略Ｕ字形状の経路の折り返しを与える部分であり、図１０に示す如く、１本の棒状直管の放電灯の略中央部を折り曲げたものであってもよいし、図９に示す如く、一の電極が設けられる端部から棒状に延出した放電管が２本用意され、２つの端部が近接するように、端部の反対側が溶接により設けられた中空のガラス管により相互に連通するものであってもよい。この場合は、棒状に延出した放電管が直管部となる。
【発明の効果】
【００１４】
請求項１に記載された発明によれば、検出孔の中心が、明るさを検出しようとする放電灯の中心と明るさ検出手段の中心とを結ぶ線上にあることとしたので、放電灯によって外光が遮蔽されるため外光が検出されることを防止でき、測定精度を向上することができる。
【００１５】
請求項２に記載された発明によれば、検出孔の中心が、明るさを検出しようとする直管部の中心と明るさ検出手段の中心とを結ぶ線上にあることとしたので、直管部によって外光が遮蔽されるため外光が検出されることを防止でき、測定精度を向上することができる。
【００１６】
請求項３に記載された発明によれば、受光孔の中心が、明るさを検出しようとする放電灯の中心と明るさ検出手段の中心とを結ぶ線上にあることとしたので、放電灯によって外光が遮蔽されるため外光が検出されることを防止でき、測定精度を向上することができる。
【００１７】
請求項４に記載された発明によれば、受光孔の中心が、明るさを検出しようとする直管部の中心と明るさ検出手段の中心とを結ぶ線上にあることとしたので、直管部によって外光が遮蔽されるため外光が検出されることを防止でき、測定精度を向上することができる。
【発明を実施するための最良の形態】
【００１８】
本願発明の第一実施形態として、本願の請求項１に対応した照明器具１について図１により説明する。
【００１９】
本第一実施形態の照明器具１は、図１に示す如く、放電灯２、２’と、放電灯２、２’を点灯制御する点灯回路３と、放電灯２から照射される光を照射物に反射させる反射面４と、反射面４に設けられた検出孔５、５’を介して放電灯２の明るさを検出する明るさ検出手段６と、明るさ検出手段６の検出結果に従って放電灯２、２’の明るさを制御する制御部７と、を備えた照明器具１であって、放電灯２、２’が複数備えられており、検出孔５、５’の中心が、明るさを検出しようとする放電灯２、２’の中心と明るさ検出手段６の中心とを結ぶ線上にあるものである。
【００２０】
以下、本第一実施形態による照明器具１を、より具体的詳細に説明する。
【００２１】
最初に、照明器具１であるが、これは放電灯２、２’と、点灯回路３と、反射面４と、明るさ検出手段６と、制御部７とで、構成される。
【００２２】
放電灯２、２’は、棒状直管のものであり、蛍光灯、無電極放電灯等の汎用のものを使用することができる。本実施形態においては、図１に示す如く、二本の蛍光灯を使用している。
【００２３】
点灯回路３は、放電灯２、２’を点灯させる高周波電力を供給するものであり、本実施形態においては、商用電源を整流する整流平滑回路と、整流された電力を高周波電力に返還するハーフブリッジ型インバータを主要構成要素とするものである。
【００２４】
また点灯回路３は、制御部７からの信号によって放電灯２、２’の光出力を調節し、明るさを一定に保つものである。
【００２５】
反射面４は、放電灯２、２’の光を照射面に有効に導くことで照明器具１としての効率を向上させるもので、汎用のものが使用される。本実施形態においては、樹脂製のものを用いている。
【００２６】
反射面４には、図１及び図５に示す如く、放電灯２、２’からの光を明るさ検出手段６に導く検出孔５、５’が、放電灯２、２’の長手方向と直交するスリットとして設けられている。
ここで図３に示す如く、検出孔５、５’の中心が、明るさを検出しようとする放電灯２、２’の中心と明るさ検出手段６の中心とを結ぶ線上にあるように、設けられている。また放電灯２、２’の長手方向の略中心の直上に設けられている。
【００２７】
明るさ検出手段６は、光入力を電気信号に変換するであり、本実施形態においては、フォトダイオードを主要構成要素とするものである。
【００２８】
また、安定した電気信号を得るために、検出値をＡＤ変換し、さらにＡＤ変換値を平均化してもよい。
【００２９】
明るさ検出手段６は、図５に示す如く、検出孔５、５’の中心と明るさを検出しようとする放電灯２、２’の中心とを結ぶ線上にあるように、設けられている。また放電灯２、２’の長手方向の略中心の直上に設けられている。
【００３０】
制御部５は、明るさ検出手段４からの電気信号を受けて、点灯回路３の光出力を制御する信号を送信するもので、マイクロコンピュータを主要構成要素とする。
【００３１】
本実施形態による照明器具１は、以上のように構成されているので、明るさ検出手段６が放電灯２、２’の明るさを検出する場合に、図７に示すように、検出孔５を介して外光が明るさ検出手段６に侵入することがないものである。
【００３２】
従って、本第一実施形態によれば、検出孔５、５’の中心が、明るさを検出しようとする放電灯２、２’の中心と明るさ検出手段６の中心とを結ぶ線上にあることとしたので、放電灯２、２’によって外光が遮蔽されるため外光が検出されることを防止でき、測定精度を向上することができる。
【００３３】
続いて、本願発明の第二実施形態として、本願の請求項２に対応した照明器具１について図２により説明する。
【００３４】
本第二実施形態の照明器具１は、図２に示す如く、放電灯２と、放電灯２を点灯制御する点灯回路３と、放電灯２から照射される光を照射物に反射させる反射面４と、反射面４に設けられた検出孔５、５’を介して放電灯２の明るさを検出する明るさ検出手段６と、明るさ検出手段６の検出結果に従って放電灯の明るさを制御する制御部７と、を備えた照明器具１であって、放電灯２が、電極２３、２３’が設けられる端部２２、２２’を含む直管部２４、２４’と、直管部２４、２４’との間に挟設される屈曲部２１と、を有し、端部２２、２２’が近接することで、放電電流が流れる経路が電極２３、２３’を発着点として略Ｕ字形状となる片口金構造であり、検出孔５、５’の中心が、明るさを検出しようとする直管部２４、２４’の中心と明るさ検出手段６の中心とを結ぶ線上にあるものである。
【００３５】
以下、本第二実施形態による照明器具１を、より具体的詳細に説明するが、第一実施形態と相違する放電灯２についてのみ説明する。
【００３６】
放電灯２は、片口金構造のものであり、本実施形態においては、図２及び図９に示す如く、一の電極２３、２３’が設けられる端部２３、２３’から棒状に延出した放電管が２本用意され、２つの端部２３、２３’が近接するように、端部２３、２３’の反対側が溶接により設けられた中空のガラス管により相互に連通するもの（松下電器産業株式会社製ＦＨＰ４５ＥＬ）が使用されている。この構造により、放電電流が流れる経路が電極を発着点として略Ｕ字形状となる。
【００３７】
上述の通り、放電灯２は、中空のガラス管により相互に連通するものに限られず、図１０に示す如く、１本の棒状直管の放電灯を略中央部で折り曲げて外観を略Ｕ字形状としたものであってもよい。
【００３８】
本実施形態による照明器具１は、以上のように構成されているので、明るさ検出手段６が放電灯２、２’の明るさを検出する場合に、図７に示すように、検出孔５を介して外光が明るさ検出手段６に侵入することがないものである。
【００３９】
従って、本第二実施形態によれば、検出孔５、５’の中心が、放電灯２、２’の中心と明るさ検出手段６の中心とを結ぶ線上にあることとしたので、放電灯２、２’によって外光が遮蔽されるため外光が検出されることを防止でき、測定精度を向上することができる。
【００４０】
続いて本願発明の第三実施形態として、本願の請求項３に対応した照明器具１について図３により説明する。
【００４１】
本第一実施形態の照明器具１は、図１に示す如く、放電灯２、２’と、放電灯２、２’を点灯制御する点灯回路３と、放電灯２から照射される光を照射物に反射させる反射面４と、反射面４に設けられた検出孔５を介して放電灯２の明るさを検出する明るさ検出手段６と、明るさ検出手段６を覆ってなる保護ケース９と、明るさ検出手段６の検出結果に従って放電灯２、２’の明るさを制御する制御部７と、を備えた照明器具１であって、放電灯２、２’が複数備えられており、保護ケース９に設けられた受光孔８、８’の中心が、明るさを検出しようとする放電灯２、２’の中心と明るさ検出手段６の中心とを結ぶ線上にあるものである。
【００４２】
以下、本第三実施形態による照明器具１を、より具体的詳細に説明するが、第一実施形態と相違する保護ケース９についてのみ説明する。
【００４３】
保護ケース９は、明るさ検出手段６を保護するもので、汎用のものが使用される。本実施形態においては、樹脂製のものを用いている。
【００４４】
保護ケース９には、図３及び図６に示す如く、放電灯２、２’からの光を明るさ検出手段６に導く受光孔８、８’が、反射面に設けられた検出孔５に臨む略円形の孔として設けられている。
【００４５】
ここで図６に示す如く、受光孔８、８’の中心が、明るさを検出しようとする放電灯２、２’の中心と明るさ検出手段６の中心とを結ぶ線上にあるように、設けられている。また放電灯２、２’の長手方向の略中心の直上に設けられている。
【００４６】
本実施形態による照明器具１は、以上のように構成されているので、明るさ検出手段６が放電灯２、２’の明るさを検出する場合に、図８に示すように、受光孔８を介して外光が明るさ検出手段６に侵入することがないものである。
【００４７】
従って、本第三実施形態によれば、受光孔８、８’の中心が、明るさを検出しようとする放電灯２、２’の中心と明るさ検出手段６の中心とを結ぶ線上にあることとしたので、放電灯２、２’によって外光が遮蔽されるため外光が検出されることを防止でき、測定精度を向上することができる。
【００４８】
続いて本願発明の第四実施形態として、本願の請求項４に対応した照明器具１について図３により説明する。
【００４９】
本第四実施形態の照明器具１は、図４に示す如く、放電灯２と、放電灯２を点灯制御する点灯回路３と、放電灯２から照射される光を照射物に反射させる反射面４と、反射面４に設けられた検出孔５、５’を介して放電灯２の明るさを検出する明るさ検出手段６と、明るさ検出手段６を覆ってなる保護ケース９と、明るさ検出手段６の検出結果に従って放電灯の明るさを制御する制御部７と、を備えた照明器具１であって、放電灯２が、電極２３、２３’が設けられる端部２２、２２’を含む直管部２４、２４’と、直管部２４、２４’との間に挟設される屈曲部２１と、を有し、端部２２、２２’が近接することで、放電電流が流れる経路が電極２３、２３’を発着点として略Ｕ字形状となる片口金構造であり、保護ケース９に設けられた受光孔８、８’の中心が、明るさを検出しようとする直管部２４、２４’の中心と明るさ検出手段６の中心とを結ぶ線上にあるものである。
【００５０】
以下、本第四実施形態による照明器具１を、より具体的詳細に説明するが、第二実施形態と相違する保護ケース９については、第三実施形態で説明したものと同じである。
【００５１】
ここで図６に示す如く、受光孔８、８’の中心が、放電灯２、２’の中心と明るさ検出手段６の中心とを結ぶ線上にあるように、設けられている。また放電灯２、２’の長手方向の略中心の直上に設けられている。
【００５２】
本実施形態による照明器具１は、以上のように構成されているので、明るさ検出手段６が放電灯２、２’の明るさを検出する場合に、図８に示すように、受光孔８を介して外光が明るさ検出手段６に侵入することがないものである。
【００５３】
従って、本第四実施形態によれば、受光孔８、８’の中心が、放電灯２、２’の中心と明るさ検出手段６の中心とを結ぶ線上にあることとしたので、放電灯２、２’によって外光が遮蔽されるため外光が検出されることを防止でき、測定精度を向上することができる。
【図面の簡単な説明】
【００５４】
【図１】本願発明の第一実施形態における照明器具の斜視図
【図２】本願発明の第二実施形態における照明器具の斜視図
【図３】本願発明の第三実施形態における照明器具の斜視図
【図４】本願発明の第四実施形態における照明器具の斜視図
【図５】本願発明の第一及び第二実施形態におけるＡ−Ａ’断面図
【図６】本願発明の第三及び第四実施形態におけるＢ−Ｂ’断面図
【図７】従来例における照明器具の放電灯長手方向の断面図
【図８】他の従来例における照明器具の放電灯長手方向の断面図
【図９】本願発明の第二及び第四実施形態における放電灯の平面図
【図１０】本願発明の第二及び第四実施形態における他の放電灯の平面図
【符号の説明】
【００５５】
１      照明器具
２      放電灯
２１    屈曲部
２２    端部
２２’  端部
２３    電極
２３’  電極
２４    直管部
２４’  直管部
３      点灯回路
４      反射板
５      検出孔
５’    検出孔
６      明るさ検出手段
７      制御部
８      受光孔
８’    受光孔
９      保護ケース
【図１】
2007026869.tif 000003
【図２】
2007026869.tif 000004
【図３】
2007026869.tif 000005
【図４】
2007026869.tif 000006
【図５】
2007026869.tif 000007
【図６】
2007026869.tif 000008
【図７】
2007026869.tif 000009
【図８】
2007026869.tif 000010
【図９】
2007026869.tif 000011
【図１０】
2007026869.tif 000012